(57)【特許請求の範囲】
【請求項１】
遊技盤に面して開口された大入賞口を開放または閉塞自在な扉体を有する大入賞口装置であって、
突起部台座を有するケーシング体と、
該ケーシング体に回動自在に軸支される前記扉体と、
前記ケーシング体に回動自在に軸支され、前記扉体に係合するクランクと、
該クランクの遊動を許容しつつこれを回動自在に保持するプランジャーヘッドと、
該プランジャーヘッドに回動自在に軸支され、前記クランクの回動に連動し、回動軸の径方向に突設する規制突起片を有するロッククランクと、
前記プランジャーヘッドを第一位置および第二位置に進退駆動させるプランジャーを有するソレノイドと、を備え、
前記プランジャーが第一位置にあるときは、前記規制突起片が前記突起部台座に当接して前記扉体を閉塞状態に規制し、前記プランジャーが第二位置にあるときは、前記規制突起片が前記突起部台座から離脱して前記扉体を開放し、
前記クランクが回動伝達部を備え、前記ロッククランクが前記規制突起片の反対方向に突設する回動伝達片を備えることにより、該回動伝達片が前記回動伝達部に当接して前記ロッククランクが前記クランクと連動することを特徴とする大入賞口装置。
【請求項２】
遊技盤に面して開口された大入賞口を開放または閉塞自在な扉体を有する大入賞口装置であって、
突起部台座を有するケーシング体と、
該ケーシング体に回動自在に軸支される前記扉体と、
前記ケーシング体に回動自在に軸支され、前記扉体に係合するクランクと、
該クランクの遊動を許容しつつこれを回動自在に保持するプランジャーヘッドと、
該プランジャーヘッドに回動自在に軸支され、前記クランクの回動に連動し、回動軸の径方向に突設する規制突起片を有するロッククランクと、
前記プランジャーヘッドを第一位置および第二位置に進退駆動させるプランジャーを有するソレノイドと、を備え、
前記プランジャーが第一位置にあるときは、前記規制突起片が前記突起部台座に当接して前記扉体を閉塞状態に規制し、前記プランジャーが第二位置にあるときは、前記規制突起片が前記突起部台座から離脱して前記扉体を開放し、
前記クランクは、前記プランジャーヘッドの進退方向において遊動可能に設けられ、
前記プランジャーが第一位置から第二位置に移動する際において、前記ロッククランクは前記プランジャーと一体的に移動して前記規制突起片が前記突起部台座から離脱し、その後、前記クランクが回動を始めることを特徴とする大入賞口装置。
【請求項３】
前記ケーシング体は、両側部の下部において水平に設けられる第一回動軸受けと、該第一回動軸受けと離間してこれと交差する方向で水平に設けられる第二回動軸受けとを有し、
前記突起部台座は、前記第二回動軸受けの下方に設けられ、
前記扉体は、両側部の下部に設けられる第一回動軸により前記ケーシング体の前記第一回動軸受けに回動自在に軸支され、該第一回動軸から離間して側部に設けられる突片状の開閉作用部を有し、
前記クランクは、両側部に設けられる第二回動軸により前記ケーシング体の前記第二回動軸受けに回動自在に軸支され、該第二回動軸から離間してこれと平行に設けられる第三回動軸と、該第三回動軸から離間してこれと平行に設けられる回動伝達部と、該回動伝達部から外側に延設され前記扉体の前記開閉作用部に係合する扉体開閉部とを有し、
前記プランジャーヘッドは、水平に設けられる第三回動軸受けにより前記クランクの前記第三回動軸の遊動回動を許容しつつ保持し、該第三回動軸受けから離間してこれと平行に設けられる第四回動軸受けを有し、
前記ロッククランクは、側部中央に設けられる第四回動軸により前記プランジャーヘッドの前記第四回動軸受けに回動自在に軸支され、前記規制突起片の反対方向に突設する回動伝達片により前記クランクの前記回動伝達部に連動し、
前記ソレノイドは前記プランジャーの進退駆動方向が前記プランジャーヘッドの第三回動軸受けと交差する方向に設けられることを特徴とする請求項１又は２の大入賞口装置。
【発明の詳細な説明】
【技術分野】
【０００１】
本発明は、弾球遊技機において、その役物装置が作動した場合に著しく入賞が容易になる大入賞口を開閉する大入賞口装置に関する。
【背景技術】
【０００２】
近年行われる弾球遊技機においては、始動口への遊技球の入球により行われる抽選結果に基づき大当たりが発生した場合には、閉塞状態にあった大入賞口が開放され、多数の遊技球の獲得を可能とするものが多く用いられている。その大入賞口の開閉を制御する特別電動役物に関する装置がいわゆるアタッカーなどと呼ばれる大入賞口装置である。大入賞口装置は、大入賞口を開閉する扉体をソレノイドの駆動により電動制御されるものが一般的である。このように大入賞口の開放により多数の遊技球を獲得できることから、遊技盤の内部にピアノ線や針金等を挿通し、直接に大入賞口装置の扉体を開放する不正行為が問題となる。
【０００３】
特許文献１に示す発明は、遊技機本体の構造を複雑化することなく、不正な侵入物を検出することが可能な弾球遊技機を提供することを課題とし、余剰球排出通路２５、ファール球落下路５０、及び、上記入賞検知センサ３６近傍にそれぞれ不正物の存在を検知する侵入物検知センサ２６，３８，３７を設けて、針金などの不正物Ｆの侵入を検知して警報を出すことを特徴とする弾球遊技機である。
【０００４】
特許文献２に記載の発明は、閉塞部材を外部から強制的に開放位置に引き倒すことが困難であり、ひいては不正行為等を効果的に防止できる弾球遊技機用役物を提供することを課題とする。その解決手段は、弾球遊技機用役物において、アタッカー５の閉塞部材１１に、これを開放位置へ倒伏させようとする強制操作力が加えられた場合に、ソレノイド１２の可動ロッド１３が前進位置（第一変位状態）にある場合には閉塞部材１１の開放位置への移動を阻止し、同じく後退位置（第二変位状態）にある場合には閉塞部材１１の開放位置への移動を許容する強制開放保護機構を設けるというものである。
【０００５】
特許文献３に記載の発明は、たとえピアノ線等が遊技領域に挿入された場合であっても、蓋体を不正に開放されるような事態を阻止し得ると共に、そのような構造を簡略で廉価に実現できるように構成した弾球遊技機を提供することを課題とする。その解決手段は、弾球遊技機において、不正行為者によってピアノ線等が遊技領域に挿入されてアタッカー５の蓋体５ａがピアノ線等で開放方向に牽引されたとしても、係合凹部５５ｄがＬ字状リンク５６の突起部５７を係止することにより蓋体５ａの開放方向への動作を規制するというものである。
【０００６】
【特許文献１】特開２００２−１５９６９７号公報
【特許文献２】特開２００１−２２４７７１号公報
【特許文献３】特開２００９−２９１３７１号公報
【発明の開示】
【発明が解決しようとする課題】
【０００７】
しかしながら、特許文献１に示す発明は、侵入物検知センサや警報手段を別途設ける必要があり、また、ピアノ線や針金等の不正物がセンサをすり抜けたり、センサ自体が故障したりするなどの可能性もあり、確実に検知できないおそれもあった。
【０００８】
特許文献２および特許文献３に示す発明は、上記不正行為の問題を各機構により物理的に解決することができるものの、強制開放保護機構（特許文献２に記載のもの）または運動変換機構（特許文献３に記載のもの）における構成部材同士の係合をもって扉体の不正開放を防止するものであるため、その各構成部材が複雑になる一方でその強度を確保しなければならない。また、外部から扉体を開放する力が強力かつ断続的に加えられた場合等において、そのはずみで構成部材同士の係合が解除されてしまうおそれがある。
【０００９】
そこで本発明は、上記の不正行為に対する防止手段を大入賞口装置の内部において物理的に強力に確保し、かつ、その各構成部材の強度負担を減らし、各構成部材を単純な形状とし、製造コストを下げることを課題とする。
【課題を解決するための手段】
【００１０】
上記課題に鑑み、本発明は、遊技盤に面して開口された大入賞口（２）を開放または閉塞自在な扉体（４５）を有する大入賞口装置（１）であって、突起部台座（３７）を有するケーシング体（３０）と、該ケーシング体（３０）に回動自在に軸支される前記扉体（４５）と、前記ケーシング体（３０）に回動自在に軸支され、前記扉体（４５）に係合するクランク（５０）と、該クランク（５０）の遊動を許容しつつこれを回動自在に保持するプランジャーヘッド（６０）と、該プランジャーヘッド（６０）に回動自在に軸支され、前記クランク（５０）の回動に連動し、回動軸の径方向に突設する規制突起片（７３）を有するロッククランク（７０）と、前記プランジャーヘッド（６０）を第一位置および第二位置に進退駆動させるプランジャー（８１）を有するソレノイド（８０）と、を備え、前記プランジャー（８１）が第一位置にあるときは、前記規制突起片（７３）が前記突起部台座（３７）に当接して前記扉体（４５）を閉塞状態に規制し、前記プランジャー（８１）が第二位置にあるときは、前記規制突起片（７３）が前記突起部台座（３７）から離脱して前記扉体（４５）を開放し、前記クランク（５０）が回動伝達部（５３）を備え、前記ロッククランク（７０）が前記規制突起片（７３）の反対方向に突設する回動伝達片（７２）を備えることにより、該回動伝達片（７２）が前記回動伝達部（５３）に当接して前記ロッククランク（７０）が前記クランク（５０）と連動することを特徴とする大入賞口装置（１）である。
【００１２】
本発明において、遊技盤に面して開口された大入賞口（２）を開放または閉塞自在な扉体（４５）を有する大入賞口装置（１）であって、突起部台座（３７）を有するケーシング体（３０）と、該ケーシング体（３０）に回動自在に軸支される前記扉体（４５）と、前記ケーシング体（３０）に回動自在に軸支され、前記扉体（４５）に係合するクランク（５０）と、該クランク（５０）の遊動を許容しつつこれを回動自在に保持するプランジャーヘッド（６０）と、該プランジャーヘッド（６０）に回動自在に軸支され、前記クランク（５０）の回動に連動し、回動軸の径方向に突設する規制突起片（７３）を有するロッククランク（７０）と、前記プランジャーヘッド（６０）を第一位置および第二位置に進退駆動させるプランジャー（８１）を有するソレノイド（８０）と、を備え、前記プランジャー（８１）が第一位置にあるときは、前記規制突起片（７３）が前記突起部台座（３７）に当接して前記扉体（４５）を閉塞状態に規制し、前記プランジャー（８１）が第二位置にあるときは、前記規制突起片（７３）が前記突起部台座（３７）から離脱して前記扉体（４５）を開放し、前記クランク（５０）は、前記プランジャーヘッド（６０）の進退方向において遊動可能に設けられ、前記プランジャー（８１）が第一位置から第二位置に移動する際において、前記ロッククランク（７０）は前記プランジャー（８１）と一体的に移動して前記規制突起片（７３）が前記突起部台座（３７）から離脱し、その後、前記クランク（５０）が回動を始めることを特徴とする大入賞口装置（１）である。
【００１３】
本発明において、前記ケーシング体（３０）は、両側部の下部において水平に設けられる第一回動軸受け（３２）と、該第一回動軸受け（３２）と離間してこれと交差する方向で水平に設けられる第二回動軸受け（３３）とを有し、前記突起部台座（３７）は、前記第二回動軸受け（３３）の下方に設けられ、前記扉体（４５）は、両側部の下部に設けられる第一回動軸（４６）により前記ケーシング体（３０）の前記第一回動軸受け（３２）に回動自在に軸支され、該第一回動軸（４６）から離間して側部に設けられる突片状の開閉作用部（４７）を有し、前記クランク（５０）は、両側部に設けられる第二回動軸（５１）により前記ケーシング体（３０）の前記第二回動軸受け（３３）に回動自在に軸支され、該第二回動軸（５１）から離間してこれと平行に設けられる第三回動軸（５２）と、該第三回動軸（５２）から離間してこれと平行に設けられる回動伝達部（５３）と、該回動伝達部（５３）から外側に延設され前記扉体（４５）の前記開閉作用部（４７）に係合する扉体開閉部（５５）とを有し、前記プランジャーヘッド（６０）は、水平に設けられる第三回動軸受け（６１）により前記クランク（５０）の前記第三回動軸（５２）の遊動回動を許容しつつ保持し、該第三回動軸受け（６１）から離間してこれと平行に設けられる第四回動軸受け（６２）を有し、前記ロッククランク（７０）は、側部中央に設けられる第四回動軸（７１）により前記プランジャーヘッド（６０）の前記第四回動軸受け（６２）に回動自在に軸支され、前記規制突起片（７３）の反対方向に突設する回動伝達片（７２）により前記クランク（５０）の前記回動伝達部（５３）に連動し、前記ソレノイド（８０）は前記プランジャー（８１）の進退駆動方向が前記プランジャーヘッド（６０）の第三回動軸受け（６１）と交差する方向に設けられることが好ましい。
【００１４】
前記突起部台座（３７）は、ケーシング体（３０）の床面から隆起した水平面（３８）と、該水平面（３８）からＲ形状により滑らかに連接して下垂する立壁（３９）とを備えることが好ましい。
【００１５】
前記規制突起片（７３）は、その基部から先端部に向かって縮小し、該先端部が滑らかなＲ形状により形成され、前記クランク（５０）の前記回動伝達部（５３）と当接する基部から先端部にかけての前面が滑らかな凸状の曲面により形成されることが好ましい。
【００１６】
前記突起部台座（３７）が前記水平面（３８）を備えることにより、前記規制突起片（７３）と前記突起部台座（３７）との当接による係合状態において、前記規制突起片（７３）に伝達される前記扉体（４５）を不正に開放しようとする外力を確実に前記ケーシング体（３０）に伝達することができる。また、前記水平面（３８）と前記立壁（３９）とがＲ形状により滑らかに連接され、前記規制突起片（７３）の前記先端部が滑らかなＲ形状により形成され、前記クランク（５０）の前記回動伝達部（５３）と当接する基部から先端部にかけての前面が滑らかな凸状の曲面により形成されることにより、前記規制突起片（７３）および前記突起部台座（３７）の係脱を円滑に行うことができる。
【００１７】
前記ケーシング体（３０）の内部において、大入賞口（２）の奥に設けられ遊技球を案内する誘導壁（４１）と、該誘導壁（４１）により設定される誘導路（４２）と、該誘導路（４２）の終端に設けられる検出孔（４３）と、該検出孔（４３）に設けられる入球検出センサ（８５）とを備えることが好ましい。
【００１８】
前記ケーシング体（３０）が前記誘導壁（４１）および前記誘導路（４２）を備えることにより、入球した遊技球を検出孔（４３）に導くにあたって、前記扉体（４５）、前記クランク（５０）、前記プランジャーヘッド（６０）および前記ロッククランク（７０）による規制機構と衝突することを防ぐことができる。
【００１９】
前記ロッククランク（７０）において、前記規制突起片（７３）は前記回動伝達片（７２）から前記第四回動軸（７１）を挟んで反対方向に突設されるが、その反対方向とは、１８０度真逆であることを要するものではなく、前記第四回動軸（７１）を中心にして回転離間して設けられる状態を指す。
【発明の効果】
【００２０】
本発明によれば、閉塞時の前記扉体（４５）をロック状態に規制することが可能となり、外部から不正に開放することを物理的に防止することができる。前記扉体（４５）のロック状態は前記規制突起片（７３）および前記突起部台座（３７）の係合によりその開放を規制して行われるところ、前記扉体（４５）への不正な外部力は前記扉体（４５）、前記クランク（５０）、前記プランジャーヘッド（６０）および前記ロッククランク（７０）を介して伝わり、最終的には前記ケーシング体（３０）に一体的に設けられる前記突起部台座（３７）によって規制するため、各部材間の強度負担を減らすことができ、確実に前記扉体（４５）のロック状態を保持することができる。
【００２１】
これらの不正開放に対する規制機構は、侵入物検知センサや警報手段等を別途設けるよりも低コストで使用することができる。また、規制機構として、その移動を伴う各部材間に依存するよりも、盤面に固定される、より大きな部材である前記ケーシング体（３０）に外部力を伝達することで、規制機構の各部材の複雑さを回避し、各部材の強度負担を減らすことにより、各部材の低コスト化も図ることができる。
【図面の簡単な説明】
【００２２】
【図１】本発明の実施形態による大入賞口装置１の斜視図である。
【図２】同実施形態による大入賞口装置１の分解斜視図である。
【図３】図２における下部ケース３０の拡大図である。
【図４】図２における扉体４５、クランク５０、プランジャーヘッド６０、ロッククランク７０、およびソレノイド８０の拡大図である。
【図５】同実施形態による大入賞口装置１の平面図である。（ａ）は扉体４５が閉塞した状態であり、（ｂ）は扉体４５が開放された状態である。いずれも上部ケース２０および下部ケース３０の図示は省略している。
【図６】同実施形態による大入賞口装置１の左側面図である。（ａ）は扉体４５が閉塞した状態であり、（ｂ）は扉体４５が開放された状態である。いずれも上部ケース２０および下部ケース３０の図示は省略している。
【図７】同実施形態による大入賞口装置１の平面図である。上部ケース２０の図示は省略している。
【図８】図７のＡ−Ａにおける断面図である。固定回動軸５１は同断面図には表れないが、二点鎖線でその位置を図示する。以下の図面においても同様である。
【図９】図８において、遊動回動軸５２が溝部６４の前面に当接するまでプランジャー８１を後退させた状態の図である。
【図１０】図９において、プランジャー８１を終点まで後退させた状態の図である。
【発明を実施するための形態】
【００２３】
本発明に係る実施形態の大入賞口装置１について図１〜１０を参照しつつ説明する。大入賞口装置１は、弾球遊技機において大入賞口２の開閉を制御する特別電動役物であって、いわゆるアタッカーと呼ばれるものである。大入賞口装置１は、図１，２に示す通り、遊技盤（図示略）に取り付けられ中央に大入賞口２が設けられる台板３と、大入賞口２に連通して設けられる上部ケース２０および下部ケース３０と、大入賞口２を開閉する扉体４５と、扉体４５に係合し開閉作用を及ぼすクランク５０と、クランク５０の遊動を許容しつつこれを回動自在に保持するプランジャーヘッド６０と、プランジャーヘッド６０に回動自在に軸支されるロッククランク７０と、プランジャーヘッド６０を前後に進退駆動させるソレノイド８０等を備える。
【００２４】
図２，図３に示す通り、扉体４５は第一回動軸である開閉軸４６を備え、下部ケース３０に設けられる第一回動軸受けである開閉回動軸受け３２に回動自在に軸支される。図４，図７等に示す通り、クランク５０は第二回動軸である固定回動軸５１を備え、下部ケース３０に設けられる第二回動軸受けである固定回動軸受け３３に回動自在に軸支される。また、図４に示す通り、クランク５０は第三回動軸である遊動回動軸５２を備え、プランジャーヘッド６０に設けられる第三回動軸受けである遊動回動軸受け６１に遊動自在に規制される。ロッククランク７０は第四回動軸である規制回動軸７１を備え、プランジャーヘッド６０に設けられる第四回動軸受けである規制回動軸受け６２に回動自在に軸支される。これらクランク５０、プランジャーヘッド６０およびロッククランク７０からなる規制機構の各部材が連動することにより、ソレノイド８０による駆動力または扉体４５に対する不正な外力は、扉体４５または下部ケース３０に設けられる突起部台座３７に及ぶこととなる。以下、各部について説明する。
【００２５】
台板３は、図１，２に示す通り、中央に矩形の切欠き穴である大入賞口２を有する板状体である。台板３は大入賞口装置１を遊技盤（図示略）に設置するためのものである。台板３は上部ケース２０および下部ケース３０を係合させた状態においてその前部に設けられ、大入賞口２に対応する位置には扉体４５が設けられる。
【００２６】
上部ケース２０は、図１，２に示す通り、クランク５０、プランジャーヘッド６０、ロッククランク７０およびソレノイド８０を内包した状態で下部ケース３０に覆設される蓋体である。上部ケース２０は、上部ケース係合部２１を有し、これにより下部ケース３０と着脱自在に係合される。
【００２７】
上部ケース２０は、図２に示す通り、後述する下部ケース３０の切欠き部３１と共に大入賞口２と連通する切欠き部２２を有する。切欠き部２２は上部ケース２０の前部において、下方に凹形状に切り欠かれる部分である。切欠き部２２の天井部は、上部ケース２０における他の部分よりも上方に突出するが、後方に向かって徐々に下がり、これらと連接される。
【００２８】
下部ケース３０は、図２，３，８〜１０に示す通り、上部が開放された略箱状のケーシング体であり、底面から突設する突起部台座３７を備える。下部ケース３０の前部は切り欠かれ、大入賞口２の下部と連通する切欠き部３１が設けられる。上部ケース２０の切欠き部２２と下部ケース３０の切欠き部３１とが係合することにより、幅広の矩形孔である大入賞口２と連通する形状が形成されることとなる。
【００２９】
図３に示す通り、下部ケース３０における切欠き部３１の両側部の下部には、後述する扉体４５の開閉軸４６を回動自在に軸支する開閉回動軸受け３２が水平に固設される。開閉回動軸受け３２は、切欠き部３１の左右においてそれぞれ対称に設けられる開閉回動軸受け３２ａ，３２ｂからなる。開閉回動軸受け３２ａ，３２ｂはそれぞれ前方が開放された半円筒形状であり、その半円筒形状が開閉軸４６を内包して回動自在に軸支する。
【００３０】
下部ケース３０における切欠き部３１の後方には、後述する固定回動軸５１を回動自在に軸支する固定回動軸受け３３が固設される（図３，７参照）。固定回動軸受け３３は開閉回動軸受け３２の後方において、開閉回動軸受け３２と直交する方向において水平に設けられる。固定回動軸受け３３は、下部ケース３０の後壁３４に設けられる固定回動軸受け３３ａと、後壁３４と平行の内壁３５に設けられる固定回動軸受け３３ｂとからなる。固定回動軸受け３３ａ，３３ｂは、後壁３４および内壁３５の上部において対向する箇所が切り欠かれ、当該個所に上部ケース２０の下部が当接することにより形成される。内壁３５は後述する誘導壁４１と一体的に設けられる。
【００３１】
下部ケース３０における固定回動軸受け３３の下方には、下部ケース３０の底面３６よりも隆起した突起部台座３７が一体的に形成される（図８〜１０参照）。突起部台座３７は、底面３６よりも高い位置にある水平面３８と、水平面３８から下垂する立壁３９と、水平面３８および立壁３９を滑らかに連接するＲ部４０とを備える。突起部台座３７は後述するロッククランク７０の規制突起片７３との係合に用いられる。
【００３２】
下部ケース３０はその他、切欠き部３１の後方に設けられる立壁であって大入賞口２から入球した遊技球を誘導する誘導壁４１と、誘導壁４１により仕切られ、切欠き部３１の下部から連接して後方に向かって下方に傾斜する誘導路４２と、誘導された遊技球を落として検出する検出孔４３とを備える。検出孔４３には入球を検出するための入球検出センサ８５が設けられる（図３参照）。また、下部ケース３０の内部にはクランク５０、プランジャーヘッド６０、ロッククランク７０、ソレノイド８０、基板８６および入球検出センサ８５が内設されるため、下部ケース３０は、これらを保持または駆動可能にするための干渉避け等の形状が適宜設けられている。また、下部ケース３０は下部ケース係合部４４を有し、上部ケース係合部２１との係脱により、上部ケース２０および下部ケース３０は係脱自在になされる。
【００３３】
扉体４５は、図１，２，４に示す通り、上部ケース２０の切欠き部２２および下部ケース３０の切欠き部３１により形成される大入賞口２を開閉自在になす幅広の矩形部材である。扉体４５の両側部の下部には開閉軸４６が設けられる。開閉軸４６は、扉体４５の両側部においてそれぞれ側方に突設する小径の略円柱状の開閉軸４６ａ，４６ｂからなり、下部ケース３０の開閉回動軸受け３２ａ，３２ｂにそれぞれ回動自在に軸支される。扉体４５には、開閉軸４６ａから離間して側部に設けられ、後方に向かって延設される突片状の開閉作用部４７が固設される（図６，７参照）。図５，図６に示す通り、開閉作用部４７は、その基部が扉体４５の側部の下端から上端近くまで設けられ、後方の先端部にかけて漸次小さくなり、その先端部がクランク５０の扉体開閉部５５と係合する形状の板状片である。
【００３４】
図４のクランク５０は、後述するソレノイド８０から伝達される駆動力を扉体４５に直接に及ぼす部材である。クランク５０は、図４〜１０に示す通り、両側部に設けられる固定回動軸５１が下部ケース３０の固定回動軸受け３３に回動自在に軸支され、固定回動軸受け３３から離間してこれと平行に設けられる遊動回動軸５２と、遊動回動軸５２から前方に離間してこれと平行に設けられる回動伝達部５３と、扉体４５の開閉作用部４７に係合し開閉作用を及ぼす扉体開閉部５５とを備える。
【００３５】
クランク５０は、図４〜７に示す通り、平行に向かい合う左右の側板５６ａ，５６ｂを有し、遊動回動軸５２および回動伝達部５３はこれらの間において互いに平行して架設される。遊動回動軸５２は円柱形状の横部材である。回動伝達部５３は平面状の伝達面５４を有する横部材である。固定回動軸５１は、側板５６ａの外側に突出する固定回動軸５１ａと、側板５６ｂの外側に突出する固定回動軸５１ｂとが同軸に設けられてなる。扉体開閉部５５は、その基部が側板５６ｂの外側において回動伝達部５３に対応する位置に設けられ、外側に向かって延設される。扉体開閉部５５の先端部は略Ｕ字状であり、扉体４５の開閉作用部４７の先端部を取り囲んで当接する形状である。
【００３６】
図４に示すプランジャーヘッド６０は、後述するソレノイド８０のプランジャー８１と係合することにより、これと一体的に進退駆動する略矩形ブロック形状の部材である。プランジャーヘッド６０は、図４，８〜１０に示す通り、クランク５０の遊動回動軸５２の遊動を許容しつつ保持する略Ｕ字状の遊動回動軸受け６１と、遊動回動軸受け６１から離間してこれと平行に設けられる規制回動軸受け６２とを備える。また、プランジャーヘッド６０は、進退方向の後部にプランジャー係合部６３を備え、ソレノイド８０のプランジャー８１と係合する。
【００３７】
遊動回動軸受け６１には、プランジャー係合部６３の前方向において上部が略Ｕ字状に開口する溝部６４が水平に設けられる（図８〜１０参照）。この溝部６４は、クランク５０の遊動回動軸５２の径よりも大きいため、これを前後方向において遊動自在に保持する。クランク５０は、扉体４５の閉塞時において、その遊動回動軸５２が溝部６４の後ろ側に当接して設けられるため、前方向に向かっては空間的な遊びを有することとなる。
【００３８】
規制回動軸受け６２は、図４に示す通り、遊動回動軸受け６１の下方に離間して、遊動回動軸受け６１と平行にして設けられる。プランジャーヘッド６０の前方下部にはロッククランク７０を回動自在となすための干渉避けの空間が設けられている。
【００３９】
ロッククランク７０は、図４，８〜１０に示す通り、側部中央に設けられる規制回動軸７１がプランジャーヘッド６０の規制回動軸受け６２に軸支されることにより、進退運動しつつ回動自在に設けられる。ロッククランク７０は、規制回動軸７１から離間する方向に突設してクランク５０の回動伝達部５３と当接して設けられる回動伝達片７２と、回動伝達片７２から規制回動軸７１を挟んで反対方向に突設される規制突起片７３とを備える。規制突起片７３は回動伝達片７２から規制回動軸７１を挟んで反対方向に突設されるが、その反対方向とは規制回動軸７１を中心にして回転離間して設けられる状態を指し、必ずしも１８０度真逆であることを要するものではない。
【００４０】
ロッククランク７０は、図４に示す通り、略円筒状の主部７４を有し、その中央に回動ピン７５が相対回転不能に挿通される。回動ピン７５の端部には溝部７６が設けられ、これと係合して回動ピン７５が抜け落ちないように嵌合するリング状の止め輪であるＥリング７７が設けられる。この回動ピン７５が主部７４に挿通されることにより、ロッククランク７０に規制回動軸７１が設けられる。規制回動軸７１はロッククランク７０の進退方向と交差する方向に軸方向を有することとなる。
【００４１】
回動伝達片７２は、図４に示す通り、略円筒状の主部７４から径の外側に向かって突設する部分である。回動伝達片７２の下部には平面状の伝達面７８を有し、クランク５０の回動伝達部５３に設けられる伝達面５４と当接する。
【００４２】
規制突起片７３は、図４に示す通り、略円筒状の主部７４に一体的に固設され、その先端部はロッククランク７０の進退の後方に向かって突設する。規制突起片７３は、主部７４に固設される基部が幅広に設けられ、基部から先端部に向かって縮小し、その先端部が滑らかなＲ形状により形成される。規制突起片７３の前面（ロッククランク７０の進退の前方向にある面）は滑らかな凸状の曲面により形成される（図８〜９参照）。
【００４３】
ソレノイド８０は、可動鉄心を有するプランジャー８１を有し、電流を流して励磁させることによりプランジャー８１に直線状の前後の往復運動を発生させるリニア型のアクチュエータである（図４参照）。ソレノイド８０が励磁されると、プランジャー８１はソレノイド８０内部に吸着されて後退する。一方、プランジャー８１の前進はバイアススプリング８２の復帰力によりなされる。プランジャー８１がプランジャー係合部６３に係合することにより、プランジャーヘッド６０がこれと一体的に前後駆動することとなる（図８〜１０参照）。
【００４４】
基板８６は下部ケース３０の内部において誘導路４２の下方に設けられるランプ８７を備えた演出基板である（図２参照）。上部ケース２０、下部ケース３０、扉体４５を透明な材質により形成すれば、基板８６により大入賞口装置１の開閉等の遊技状態に合わせて任意の演出をすることができる。
【００４５】
以下、本発明に係る実施形態の大入賞口装置１の動作について、その効果とともに説明する。まず、大入賞口装置１を使用する弾球遊技機本体（図示略）において、その遊技状態に基づき、大入賞口２を開放する場合について主として図８（大入賞口２閉鎖状態）、図９（大入賞口２遷移状態）、図１０（大入賞口２開放状態）を参照して説明する。弾球遊技機本体（図示略）から、大入賞口２を開放するコマンドが出力されたとき、ソレノイド８０は励磁する。すると、プランジャー８１はバイアススプリング８２のばね力に逆らってソレノイド８０内部に吸着されて後退する。これと同時にプランジャー８１と係合するプランジャーヘッド６０も後退する。また、ロッククランク７０は、規制回動軸７１が規制回動軸受け６２に挿通されているため、プランジャーヘッド６０の後退とともに後退する（図８，９参照）。
【００４６】
このとき、プランジャー８１の後退はプランジャーヘッド６０にまで直接的に伝達されるが、規制突起片７３および突起部台座３７の係合状態であるため、回動伝達片７２が回動伝達部５３２を規制するため、クランク５０は静止したままである（図８，９参照）。
【００４７】
一方、ロッククランク７０は、クランク５０が静止した状態においても上述の通り後退するため、ロッククランク７０の規制突起片７３が突起部台座３７の水平面３８上を後退する。この後退が進行すると、規制突起片７３および突起部台座３７が非当接状態となり係合状態が解除され始める（図８，９参照）。なお、静止している遊動回動軸５２は、溝部６４内で前方向への遊びを有するため、プランジャーヘッド６０と衝突することはない。
【００４８】
上記の状態から継続してさらにプランジャー８１の後退が進むと、その後退駆動が遊動回動軸受け６１の溝部６４を介してクランク５０の遊動回動軸５２に伝わり、遊動回動軸５２も回動後退を始め、クランク５０とロッククランク７０とが連動して後退回動を行う。クランク５０は固定回動軸５１により下部ケース３０に軸支されているため、クランク５０は、固定回動軸５１を中心に後方に向かって（図９における時計回り）、回転運動を始めることとなる（図９参照）。
【００４９】
上記のクランク５０の回動は、回動伝達部５３を介してロッククランク７０の回動伝達片７２に伝わり、ロッククランク７０は後退移動しながら、規制回動軸７１を中心に後方に向かって（図９における時計回り）、回転運動を始める（図９参照）。
【００５０】
また、上記のクランク５０の回動により、扉体開閉部５５も固定回動軸５１を中心にして上方向に回転移動する。扉体開閉部５５の上方向の回転移動に伴い、扉体開閉部５５に遊嵌する扉体４５の開閉作用部４７は開閉軸４６を中心にして上方向に回転移動を始める（図５，６，９参照）。
【００５１】
プランシャー８１の後退が終着すると、ロッククランク７０はその規制突起片７３および突起部台座３７の当接による係合が完全に解除された状態で、扉体４５は上方向の回転移動により開放されることとなる（図５（ｂ），図６（ｂ），図１０参照）。
【００５２】
弾球遊技機本体（図示略）における遊技状態に基づき、大入賞口２を閉塞する場合は、上記の開放と逆の作用手順により行われる。すなわち、ソレノイド８０の励磁状態が解除され、これによりプランジャー８１がバイアススプリングの復元力により前進を始める。このプランジャー８１の前進と一体的にプランジャーヘッド６０およびロッククランク７０も前進を始める（図９，１０参照）。
【００５３】
このとき、クランク５０の遊動回動軸５２はプランジャーヘッド６０の遊動回動軸受け６１において、後方向への遊びを有するため、上記の開放時と同様にプランジャー８１の前進からやや遅れたタイミングでクランク５０は回動を始める。このクランク５０の回動は、固定回動軸５１を中心にして前方に向かう回転運動である（図１０における反時計回り）。
【００５４】
上記のクランク５０の回動により、扉体開閉部５５も固定回動軸５１を中心にして下方向に回転移動する（図１０における反時計回り）。扉体開閉部５５の下方向の回転移動に伴い、扉体開閉部５５に遊嵌する扉体４５の開閉作用部４７は開閉軸４６を中心にして下方向に回転移動を始める（図５，６，９，１０参照）。
【００５５】
一方、ロッククランク７０はそのまま前進を続け、規制突起片７３が突起部台座３７に接触することにより、規制回動軸７１を中心に前方に向かって（図１０における反時計回り）、回転運動する。この規制突起片７３および突起部台座３７の接触は、規制突起片７３の先端部が滑らかなＲ形状により形成され、また、突起部台座３７がＲ部４０を有することにより、円滑に行われる（図８，９参照）。
【００５６】
ロッククランク７０の規制突起片７３が突起部台座３７の水平面３８上を前進する。プランジャー８１の前進が終着すると、扉体４５は下方向の回転移動により閉塞され、ロッククランク７０はその規制突起片７３が突起部台座３７の水平面３８に当接して押しつけられ係合状態となる（図８参照）。
【００５７】
この状態において、扉体４５を外部から物理的に開放しようとする不正な外力は、扉体４５の開閉作用部４７、クランク５０の扉体開閉部５５、クランク５０の回動伝達部５３、ロッククランク７０の回動伝達片７２を経て、規制突起片７３に作用する。しかし、規制突起片７３の回動は突起部台座３７により規制されているため、これらの規制機構を構成する各部材が互いの動きを規制され、結局、扉体４５を開放することができないこととなる（図８参照）。この規制は規制突起片７３が突起部台座３７に当接されることによりなされるところ、規制突起片７３は、突起部台座３７の水平面３８にしっかりと押しつけられることができ、非常に強固なロック状態を作り出すことができる。この突起部台座３７は、下部ケース３０に固設され、下部ケース３０が遊技盤に固定されている。よって、不正な外力が強力かつ断続的になされた場合にも、そのはずみでこのロック状態が解除されてしまうようなおそれは著しく低下する。
【００５８】
上記の作用による扉体４５のロックは最終的に突起部台座３７すなわち下部ケース３０に伝達されるため、外部から不正に扉体４５を開放しようとする力に対する各部材の強度負担は低くなるため、また、各部材を簡単な形状にできるため、各部材の製造コストを下げることができる。
【００５９】
大入賞口装置１は、上記の通り、クランク５０、プランジャーヘッド６０、ロッククランク７０等の物理的な運動を伴う機構を備えるところ、誘導壁４１および誘導路４２を備えることにより、入球した遊技球を検出孔４３に着実に導くことができ、遊技球が各部材の間において球噛みしてしまうなどのトラブルを防ぐことができる。
【００６０】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。
【符号の説明】
【００６１】
１・・・大入賞口装置
２・・・大入賞口
３・・・台板
２０・・・上部ケース
３０・・・下部ケース（ケーシング体）
３２・・・開閉回動軸受け（第一回動軸受け）
３３・・・固定回動軸受け（第二回動軸受け）
３７・・・突起部台座
３８・・・水平面
３９・・・立壁
４０・・・Ｒ部
４１・・・誘導壁
４２・・・誘導路
４３・・・検出孔
４５・・・扉体
４６・・・開閉軸（第一回動軸）
４７・・・開閉作用部
５０・・・クランク
５１・・・固定回動軸（第二回動軸）
５２・・・遊動回動軸（第三回動軸）
５３・・・回動伝達部
５５・・・扉体開閉部
６０・・・プランシャーヘッド
６１・・・遊動回動軸受け（第三回動軸受け）
６２・・・規制回動軸受け（第四回動軸受け）
６３・・・プランシャー係合部
７０・・・ロッククランク
７１・・・規制回動軸（第四回動軸）
７２・・・回動伝達片
７３・・・規制突起片
８０・・・ソレノイド
８１・・・プランシャー
８５・・・入球検出センサ
８６・・・基板
【図１】
0005868772.tif 000002
【図２】
0005868772.tif 000003
【図３】
0005868772.tif 000004
【図４】
0005868772.tif 000005
【図５】
0005868772.tif 000006
【図６】
0005868772.tif 000007
【図７】
0005868772.tif 000008
【図８】
0005868772.tif 000009
【図９】
0005868772.tif 000010
【図１０】
0005868772.tif 000011